(57)【特許請求の範囲】
【請求項１】
高周波帯の入力信号を、該入力信号の帯域より狭い幅の複数の隣接する帯域信号に分波し、該各帯域信号を複数の出力端子（２４）からそれぞれ出力する信号分波部（２１）と、
前記各帯域信号に対してそれぞれ中間周波数帯への周波数変換処理を行い、該中間周波数帯に変換された信号をそれぞれＡ／Ｄ変換し、さらに帯域分波したことによって生じる誤差の補正処理を行ってから合波する周波数変換・合波処理部（２５）とを有し、前記入力信号をより低い周波数帯の信号に変換する周波数変換装置において、
前記周波数変換・合波処理部は、
前記帯域信号を入力するための帯域信号入力端子（３１ａ）、該帯域信号入力端子に入力された帯域信号を所定中間周波数帯へ周波数変換する周波数変換回路（３２）、該周波数変換回路の出力信号をサンプリングしてデジタル信号列に変換するＡ／Ｄ変換器（３３）、該Ａ／Ｄ変換器から出力されるデジタル信号列に対して、帯域分波に伴って生じる誤差の補正処理を行う補正処理回路（３４）、合波信号を入力するための合波信号入力端子（３１ｄ）、前記補正処理回路で補正された信号と前記合波信号入力端子に入力された信号とを合波する合波回路（３５）および該合波回路で合波された合波信号を出力するための合波信号出力端子（３１ｅ）とを備えて一体化された複数の周波数変換・合波処理モジュール（３１）と、
前記複数の周波数変換・合波処理モジュールを、着脱可能な状態で装置内に保持するモジュール保持手段（４０）と、
前記モジュール保持手段に保持された前記複数の周波数変換・合波処理モジュールの各帯域信号入力端子と前記信号分波部の各出力端子との間をコネクタ接続して、前記各帯域信号を前記各周波数変換・合波処理モジュールに与える帯域信号接続手段（４１）と、
前記モジュール保持手段に保持された前記複数の周波数変換・合波処理モジュールについて、異なるモジュール間で前記合波信号出力端子と前記合波信号入力端子との間を順にコネクタ接続して、最終段の周波数変換・合波処理モジュールの前記合波回路の合波信号出力端子から、全帯域分の合波信号を出力させる合波信号接続手段（４３）とを備え、
さらに、前記複数の周波数変換・合波処理モジュールの前記合波回路は、当該モジュールの前記補正処理回路から入力される補正処理信号に対する遅延を、設定された時間分行ってから前記合波信号入力端子から入力される合波信号と合波するように構成され、
前記モジュール保持手段に保持された前記複数の周波数変換・合波処理モジュールの前記合波回路が補正処理信号に対して行う遅延の時間を、１モジュールについて合波処理に要する時間単位で当該モジュールの接続順分となるように設定する制御部（５０）を有していることを特徴とする周波数変換装置。
【請求項２】
前記各周波数変換・合波処理モジュールの周波数変換回路が用いるローカル信号の周波数が等しく、それぞれの中間周波数帯の中心が前記信号分波部の複数の隣接する帯域の中心周波数の差分と等しい差を有していることを特徴とする請求項１記載の周波数変換装置。
【請求項３】
前記各周波数変換・合波処理モジュールの前記周波数変換回路が用いるローカル信号の周波数が、前記信号分波部の複数の隣接する帯域の中心周波数の差分と等しい差を有しており、前記各帯域信号を共通の中間周波数帯に変換させるとともに、
前記各周波数変換・合波処理モジュールの前記合波回路に入力される信号に対して、それぞれ前記信号分波部の複数の隣接する帯域の中心周波数の差と等しい差を付与する周波数シフト回路（３８）と、
前記各周波数変換・合波処理モジュールの前記周波数変換回路が用いるローカル信号の周波数が異なることによって生じる帯域間の位相誤差を前記周波数シフト回路のローカル信号の位相補正により補償する同期回路（３９）を設けたことを特徴とする請求項１記載の周波数変換装置。
【発明の詳細な説明】
【技術分野】
【０００１】
本発明は、例えば移動体通信で用いられる高周波で且つ広帯域なアナログ信号の波形解析やスペクトラム解析を、デジタル型解析装置で行う際に用いる周波数変換装置において、広帯域な信号の瞬時パワーによる歪を低減させ、広帯域で且つ高いダイナミックレンジを実現するための技術に関する。
【背景技術】
【０００２】
例えば、移動体通信で用いられる無線信号は、数ＧＨｚ以上の高周波帯でかつ数１０ＭＨｚ以上の広帯域な変調波である。このような高周波帯で且つ広帯域な信号の解析、例えばスペクトラム解析を行うための装置として従来からアナログ方式のスペクトラムアナライザが用いられている。
【０００３】
アナログ方式のスペクトラムアナライザとしては、測定対象のアナログ信号をミキサに入力してローカル信号と混合し、その差周波数成分を狭帯域なフィルタにより抽出する構成をもち、ローカル信号の周波数を広帯域に掃引して、入力アナログ信号に含まれる各周波数成分のレベルを検出するのが一般的である。
【０００４】
しかし、測定対象のアナログ信号が前記したような広帯域な変調波の場合、その尖頭電力対平均電力比が非常に大きくなり、その全ての電力がミキサに入力されることになり、ミキサの適正な動作範囲を越え、混変調歪を発生させ、測定結果にエラーを生じさせる。
【０００５】
これを防ぐために、通常はミキサの前段に減衰器を設けて、入力信号の尖頭電力が適正範囲となるように減衰させているが、この減衰器によって平均電力レベルも低下し、結果的に信号のＳ／Ｎが低下して、測定ダイナミックレンジが狭くなるという問題がある。
【０００６】
また、上記問題を解決する方法として、ミキサの前段に、帯域が異なる複数のフィルタを選択可能に設け、ミキサへのローカル信号の周波数に応じて前段のフィルタを選択するフィルタ選択方式や、一つの周波数可変型のフィルタをミキサの前段に設け、そのフィルタの周波数をローカル信号の周波数に追従変化させるトラッキング方式がある。
【０００７】
しかし、いずれの方式でもローカル信号の掃引により入力信号のスペクトラム情報を得る方式であるため、原理的に実時間測定ができない。
【０００８】
この問題を解決するための有効な技術として、高周波帯の広帯域な入力信号を複数の帯域の信号に分波し、それら各帯域の信号に対して中間周波数帯への周波数変換処理を行い、その中間周波数帯に変換された信号をそれぞれＡ／Ｄ変換してデジタルの信号列に変換し、さらに各帯域についての信号経路の僅かな差やＡ／Ｄ変換の僅かなサンプリングタイミングのずれ等によって生じる帯域間誤差を補正してから合波処理することで、高周波帯の広帯域な入力信号の実時間のスペクトラム情報を、デジタル処理しやすいより低い周波数帯へ高いダイナミックレンジで変換するものが提案されている（特許文献１）。
【先行技術文献】
【特許文献】
【０００９】
【特許文献１】特開２００９−２４６９５６号公報
【発明の概要】
【発明が解決しようとする課題】
【００１０】
上記構成の周波数変換装置を実際に構成する場合に、従来では、入力信号を複数の帯域信号に分波する信号分波ユニット、複数系列に分けられた帯域信号を中間周波数帯に変換してＡ／Ｄ変換する周波数変換ユニット、補正処理を行う補正処理ユニットおよび合波処理ユニットを設け、それらのユニット間を順に信号が通過していくように構築していた。
【００１１】
しかしながら、このように、処理の種類単位で回路をユニット化してその間を接続して装置を構成した場合、次のような問題が生じる。
【００１２】
対象信号の帯域幅が広くなると分波数も多くなり、信号分波ユニットだけでなく、それに続く、すべてのユニットを変更しなくてはならず、結局、解析される可能性のある信号のうちの最も広帯域な信号の帯域幅に合わせて、各ユニットを構成しておかなければならず、狭い帯域の信号のみを対象とするユーザーにとって無用な回路を含み、コスト高なものとなってしまう。
【００１３】
また、特定の帯域の信号処理に関して異常が発生している場合であっても、その異常箇所のユニット全体の交換で修理を行うことになり、分波数が多い場合、ユニット毎の部品代も高額となり、ユーザーに必要以上の損害を与えることになる。
【００１４】
本発明は、この問題を解決し、ユーザーの要求にフレキシブルに対応できて無駄なコストを省き、修理等のメンテナンスの際もユーザーに必要以上の損害を与えないで済む周波数変換装置を提供することを目的としている。
【課題を解決するための手段】
【００１５】
前記目的を達成するために、本発明の請求項１の周波数変換装置は、
高周波帯の入力信号を、該入力信号の帯域より狭い幅の複数の隣接する帯域信号に分波し、該各帯域信号を複数の出力端子（２４）からそれぞれ出力する信号分波部（２１）と、
前記各帯域信号に対してそれぞれ中間周波数帯への周波数変換処理を行い、該中間周波数帯に変換された信号をそれぞれＡ／Ｄ変換し、さらに帯域分波したことによって生じる誤差の補正処理を行ってから合波する周波数変換・合波処理部（２５）とを有し、前記入力信号をより低い周波数帯の信号に変換する周波数変換装置において、
前記周波数変換・合波処理部は、
前記帯域信号を入力するための帯域信号入力端子（３１ａ）、該帯域信号入力端子に入力された帯域信号を所定中間周波数帯へ周波数変換する周波数変換回路（３２）、該周波数変換回路の出力信号をサンプリングしてデジタル信号列に変換するＡ／Ｄ変換器（３３）、該Ａ／Ｄ変換器から出力されるデジタル信号列に対して、帯域分波に伴って生じる誤差の補正処理を行う補正処理回路（３４）、合波信号を入力するための合波信号入力端子（３１ｄ）、前記補正処理回路で補正された信号と前記合波信号入力端子に入力された信号とを合波する合波回路（３５）および該合波回路で合波された合波信号を出力するための合波信号出力端子（３１ｅ）とを備えて一体化された複数の周波数変換・合波処理モジュール（３１）と、
前記複数の周波数変換・合波処理モジュールを、着脱可能な状態で装置内に保持するモジュール保持手段（４０）と、
前記モジュール保持手段に保持された前記複数の周波数変換・合波処理モジュールの各帯域信号入力端子と前記信号分波部の各出力端子との間をコネクタ接続して、前記各帯域信号を前記各周波数変換・合波処理モジュールに与える帯域信号接続手段（４１）と、
前記モジュール保持手段に保持された前記複数の周波数変換・合波処理モジュールについて、異なるモジュール間で前記合波信号出力端子と前記合波信号入力端子との間を順にコネクタ接続して、最終段の周波数変換・合波処理モジュールの前記合波回路の合波信号出力端子から、全帯域分の合波信号を出力させる合波信号接続手段（４３）とを備え、
さらに、前記複数の周波数変換・合波処理モジュールの前記合波回路は、当該モジュールの前記補正処理回路から入力される補正処理信号に対する遅延を、設定された時間分行ってから前記合波信号入力端子から入力される合波信号と合波するように構成され、
前記モジュール保持手段に保持された前記複数の周波数変換・合波処理モジュールの前記合波回路が補正処理信号に対して行う遅延の時間を、１モジュールについて合波処理に要する時間単位で当該モジュールの接続順分となるように設定する制御部（５０）を有していることを特徴とする。
【００１６】
また、本発明の請求項２の周波数変換装置は、請求項１記載の周波数変換装置において、
前記各周波数変換・合波処理モジュールの周波数変換回路が用いるローカル信号の周波数が等しく、それぞれの中間周波数帯の中心が前記信号分波部の複数の隣接する帯域の中心周波数の差分と等しい差を有していることを特徴とする。
【００１７】
また、本発明の請求項３の周波数変換装置は、請求項１記載の周波数変換装置において、
前記各周波数変換・合波処理モジュールの前記周波数変換回路が用いるローカル信号の周波数が、前記信号分波部の複数の隣接する帯域の中心周波数の差分と等しい差を有しており、前記各帯域信号を共通の中間周波数帯に変換させるとともに、
前記各周波数変換・合波処理モジュールの前記合波回路に入力される信号に対して、それぞれ前記信号分波部の複数の隣接する帯域の中心周波数の差と等しい差を付与する周波数シフト回路（３８）と、
前記各周波数変換・合波処理モジュールの前記周波数変換回路が用いるローカル信号の周波数が異なることによって生じる帯域間の位相誤差を前記周波数シフト回路のローカル信号の位相補正により補償する同期回路（３９）を設けたことを特徴とする。
【発明の効果】
【００１８】
このように構成したため、本発明の周波数変換装置は、装置内にユーザが必要とする帯域幅分の周波数変換・合波処理モジュールを装着して信号分波部との間および各モジュール間をコネクタ接続することで、無駄なコストをかけずに装置の構築ができる。
【００１９】
また、各周波数変換・合波処理モジュールのハードウエア構成は同等でよいから、設計コストが抑えられ、しかも、周波数変換処理を行うモジュールが帯域毎に独立しているので、特定帯域に異常がある場合には、その帯域のモジュールのみを正常なものに交換すればよく、帯域が多い場合にその修理コストが小さくて済む。
【図面の簡単な説明】
【００２０】
【図１】本発明の実施形態の全体構成図
【図２】実施形態の帯域分波と合波の動作を説明するためのスペクトラム図
【図３】実施形態の周波数変換回路の構成例を示す図
【図４】合波前の遅延処理を説明するための図
【図５】装置の構造例を示す図
【図６】本発明の別の実施形態の構成図
【図７】別の実施形態の帯域分波と合波の動作を説明するためのスペクトラム図
【発明を実施するための形態】
【００２１】
以下、図面に基づいて本発明の実施の形態を説明する。
図１は、本発明を適用した周波数変換装置２０の全体構成図である。
【００２２】
この周波数変換装置２０は、信号分波部２１、周波数変換・合成処理部２５および制御部５０を有している。
【００２３】
信号分波部２１は、高周波帯の広帯域な入力信号ｘ（ｔ）を入力端子２２で受け、その入力信号ｘ（ｔ）の帯域より狭い幅の複数Ｍの隣接する帯域幅のバンドパスフィルタ（ＢＰＦ）２３１〜２３Ｍに入力して帯域信号ｘ１（ｔ）〜ｘＭ（ｔ）に分波し、複数の帯域信号出力端子２４１〜２４Ｍからそれぞれ出力する。
【００２４】
バンドパスフィルタ２３１〜２３Ｍは、図２の（ａ）に示すように、変換対象の信号が存在する可能性のある所定周波数領域ｆ０〜ｆ０＋ｆＢＷ（例えばｆ０＝２ＧＨｚ、ｆＢＷ＝１００ＭＨｚ）を、Ｍ個の等しい周波数幅ｆＷ＝ｆＢＷ／Ｍ（例えばＭ＝１０の場合、１００／１０＝１０ＭＨｚ）の帯域に分割し、分割した各帯域の信号ｘ１（ｔ）〜ｘＭ（ｔ）をそれぞれ選択的に抽出して出力する。ここで複数Ｍは任意で、後述する周波数変換の処理能力やユーザーの要望などに応じて決定すればよい。
【００２５】
ここで、バンドパスフィルタ２３１〜２３Ｍの中心周波数をｆｃ１〜ｆｃＭとすると、上記関係から各バンドパスフィルタ２３１〜２３Ｍの通過帯域は、それぞれ、ｆｃ１±ｆＷ／２、ｆｃ２±ｆＷ／２、…、ｆｃＭ±ｆＷ／２となる。
【００２６】
この信号分波部２１の構成は、図示のように通過帯域が異なる複数のバンドパスフィルタを単純に並列に接続した構造に限定されるものではなく、前記特許文献１（特開２００９−２４６９５６号公報）の図７〜図１２に示された種々の構成が採用できる。
【００２７】
周波数変換・合成処理部２５は、信号発生部２６、複数の周波数変換・合波処理モジュール（以下、単にモジュールと記す）３１１〜３１Ｍ、モジュール保持手段４０、帯域信号接続手段４１、変換用信号接続手段４２および合波信号接続手段４３により構成されている。
【００２８】
信号発生部２６は、所定周波数（例えば、１０ＭＨｚ、１ＭＨｚ、１００ｋＨｚ等）の基準信号Ｒに位相同期したローカル信号Ｌを発生してローカル信号出力端子２６ａから出力するローカル信号発生器２７と、基準信号Ｒに位相同期したサンプリング用のクロック信号Ｃを発生してクロック信号出力端子２６ｂから出力するクロック信号発生器２８とにより構成されている。
【００２９】
また、各モジュール３１は、帯域信号入力端子３１ａ、ローカル信号入力端子３１ｂ、クロック信号入力端子３１ｃ、合波信号入力端子３１ｄ、合波信号出力端子３１ｅ、帯域信号入力端子３１ａに入力された帯域信号をローカル信号入力端子３１ｂに入力されたローカル信号Ｌとの混合処理により所定の中間周波数帯へ周波数変換（ヘテロダイン変換）する周波数変換回路３２、周波数変換回路３２の出力信号ｙをクロック信号入力端子３１ｃに入力されたクロック信号Ｃに同期してサンプリングしてデジタル信号列に変換するＡ／Ｄ変換器３３、Ａ／Ｄ変換器３３から出力されるデジタル信号列Ｙに対して、帯域分波に伴って生じる誤差の補正処理を行う補正処理回路３４、補正処理回路３４で補正された信号Ｙｈと合波信号入力端子３１ｄに入力された信号とを合波して、合波信号出力端子３１ｅから出力する合波回路３５とを備えてそれぞれ一体化されている（添え字省略）。
【００３０】
各周波数変換回路３２１〜３２Ｍは、例えば図３に示すように、各帯域信号とローカル信号Ｌとを混合するミキサ３２ａと、その混合成分から差のヘテロダイン成分（中間周波数帯）を抽出するバンドパスフィルタ（ＢＰＦ）３２ｂとで構成されている。ここで、各周波数変換回路３２１〜３２Ｍのバンドパスフィルタ３２ｂの帯域は、図２の（ｂ１）〜（ｂＭ）のように、ローカル信号Ｌの周波数をｆＬとすれば、それぞれ、
｜ｆＬ−ｆｃ１｜±ｆＷ／２
｜ｆＬ−ｆｃ２｜±ｆＷ／２
………
｜ｆＬ−ｆｃＭ｜±ｆＷ／２
に設定され、分波された時の互いの周波数間隔を保持した状態で中心周波数がそれぞれ異なる中間周波数帯に変換されて、クロック信号Ｃに同期したタイミングでサンプリングされてデジタルの信号列に変換される。
【００３１】
補正処理回路３４は、広帯域な入力信号を複数の帯域の信号に分波し、それぞれに対して周波数変換処理とＡ／Ｄ変換処理を行うことによって、帯域間に生じる信号の位相と振幅の誤差を補正するためのものであり、その補正処理は、例えば所定数の入力データに対する積和演算を行うＦＩＲ型のデジタルフィルタで行われる。
【００３２】
このデジタルフィルタによる補正を行うために必要な補正係数（積の係数）は、予め無変調の基準信号を入力して、その周波数を掃引することで得られたデータに基づいて、帯域内の振幅・位相特性が所定の基準特性となるように決定したものであり、モジュール毎に予め記憶設定されているものとする。
【００３３】
このようにして、帯域分波による補正処理がなされた信号列Ｙｈは、合波回路３５に入力される。合波回路３５では、合波信号入力端子３１ｄから入力された合波信号と、補正処理された信号とが合波されるが、補正処理信号Ｙｈについては、基本的に各モジュール間でタイミングずれは生じないが、合波処理の遅延（例えば１クロック分）が必ず生じるので、同一タイミングで各合波回路に入力される補正処理信号の総和が最終段から正しく出力されるためには、初段から最終段までの遅延量を見込んでおく必要がある。
【００３４】
即ち、図４に示すように、仮に４つのモジュールを接続した場合で、各モジュールの合波回路３５１〜３５４に同一処理タイミングＴ１に入力された補正処理信号ＹｈがそれぞれＡ１、Ｂ１、Ｃ１、Ｄ１とすると、初段の合波回路３５１は、次の処理タイミングＴ２にＡ１＋０（入力無し）を合波信号として出力し、それに合わせるために、次段の合波回路３５２は、補正処理信号Ｂ１を内部で１処理タイミング分遅らせてから、次の処理タイミングＴ３に合波信号Ａ１と補正処理信号Ｂ１とを合波して、信号Ａ１＋Ｂ１を出力する。
【００３５】
以下同様に、３段目の合波回路３５３は、補正処理信号Ｃ１を内部で２処理タイミング分遅らせてから、次の処理タイミングＴ４に合波信号Ａ１＋Ｂ１と補正処理信号Ｃ１とを合波して信号Ａ１＋Ｂ１＋Ｃ１を出力し、最終段の合波回路３５４は、補正処理信号Ｄ１を内部で３処理タイミング分遅らせてから、次の処理タイミングＴ５に合波信号Ａ１＋Ｂ１＋Ｃ１と補正処理信号Ｄ１とを合波して信号Ａ１＋Ｂ１＋Ｃ１＋Ｄ１を出力する。
【００３６】
つまり、各合波回路は、モジュールの接続順に応じた処理時間分だけ、入力する補正処理信号に対する遅延を行ってから合波信号と合波する機能を有している。合波回路のこの遅延処理段数は外部（後述する制御部５０）から任意に設定できるようになっているものとする。
【００３７】
これらの複数のモジュール３１は、モジュール保持手段４０により装置内に着脱可能な状態で保持される。
【００３８】
ここで、モジュール保持手段４０の形態はモジュールの構造に対応したものであれば任意である。例えばモジュールがプリント基板上に形成され、そのプリント基板にエッジコネクタが設けられている場合には、モジュール保持手段４０としてマザーボードの一面側に、モジュールのエッジコネクタを受け入れるコネクタを並べて、複数のモジュールをマザーボード上に並べ立てた状態で保持する構造が考えられる。この場合、モジュール保持手段４０は、機械的な保持機能だけでなく、電気的な接続機能も兼ねることになる。また、単純に機械的な保持機能だけであってもよい。
【００３９】
帯域信号接続手段４１は、モジュール保持手段４０に保持された各モジュール３１の帯域信号入力端子３１ａと信号分波部２１の各帯域信号出力端子２４との間をコネクタ接続して、各帯域信号をモジュール３１に与える。
【００４０】
この帯域信号接続手段４１は、信号分波部２４の帯域信号出力端子２４とモジュール３１の帯域信号入力端子３１ａの形態に応じて設けられる。
【００４１】
例えば、単純な構造として、帯域信号出力端子２４が高周波用の同軸コネクタであれば、帯域信号入力端子３１ａも同様の同軸コネクタとしてその間を、両端に同軸コネクタが設けられた同軸ケーブルで接続する。
【００４２】
また、帯域信号接続手段４１を、前記したマザーボードの一面側にコネクタが固定された構造のモジュール保持手段４０で兼用することもできる。その場合、マザーボード上に信号分波部２１の回路を形成し、その各帯域信号出力端子２４とマザーボード上の複数のコネクタの特定のピンとの間をそれぞれパターン接続し、各コネクタに装着されるモジュールのエッジコネクタの特定ピンに対応する接点を帯域信号入力端子３１ａとする。ただしこの場合には、高周波信号をロスなく伝達させる伝送線路（マイクロストリップ線路等）をパターン形成する必要がある。このようにモジュール保持手段４０を兼用すれば、モジュールを装着することで接続も行われる。
【００４３】
変換用信号接続手段４２は、モジュール保持手段４０に保持された各モジュール３１のローカル信号入力端子３１ｂ、クロック信号入力端子３１ｃと、信号発生部２６のローカル信号出力端子２６ａ、クロック信号出力端子２６ｂの間を接続するものであり、前記帯域信号接続手段４１と同様に同軸ケーブル接続やマザーボード上のコネクタに装着して接続する方法のいずれも採用可能である。この場合、信号発生部２６も各モジュール３１と同様に装置に着脱自在なモジュールとしてもよいし、マザーボード上に固定された状態で設けてもよい。
【００４４】
また、合波信号接続手段４３は、モジュール保持手段４０に保持された複数のモジュール３１について、異なるモジュール３１ｉ、３１ｉ＋１間で合波信号出力端子３１ｅｉと合波信号入力端子３１ｄｉ＋１との間を順にコネクタ接続して、最終段のモジュールの合波信号出力端子３１ｅＭから、全帯域分合波した信号Ｘを出力させる。
【００４５】
この合波信号接続手段４３として、デジタルの複数ビットパラレルのデータ信号を扱う場合には前記したマザーボードの一面側にコネクタが固定された構造のモジュール保持手段４０にエッジコネクタを装着する方式が有利であり、各モジュールのエッジコネクタに合波信号入力端子３１ｄと合波信号出力端子３１ｅとを設け、モジュール装着によりモジュール保持と同時に、隣り合うモジュール間での合波信号出力端子３１ｅと合波信号入力端子３１ｄとの間の接続が同時に行われるようにする。
【００４６】
制御部５０は、信号発生部２６および各モジュール３１の制御、例えば、ローカル信号の周波数設定処理や、クロック信号Ｃに同期して、各モジュール３１のサンプリングを開始するようにしている。また、モジュール保持手段４０に保持されたモジュールを検知して、前記した遅延量の設定等を含むパラメータの設定処理等を行う。その制御のための接続は任意であるが、前記したマザーボードのコネクタに装着されたエッジコネクタを介して行う方式が有利であり、また、各モジュール毎の合波信号に対する解析処理や信号発生部２６への制御も行えるように、ここでは合波信号接続手段４３を兼用して各モジュール３１および信号発生部２６に接続される構造となっている（制御部５０の入出力用の端子は省略している）。なお、制御部５０と、各モジュール３１および信号発生部２６との間は、それぞれ専用の接続手段により接続してもよい。
【００４７】
このように構成された周波数変換装置２０では、変換対象の入力信号が複数の隣接する帯域の信号に分波され、着脱自在に保持される各モジュール３１によって中間周波数帯に変換され、帯域分波によって生じる誤差が補正されて順次合波され、図２の（ｃ）ように、元の入力信号の情報を保存したより低い中間周波数帯のデジタルの信号列に変換している。
【００４８】
このため、装置内にユーザが必要とする帯域幅分のモジュール３１を装着して信号分波部２１との間および各モジュール間をコネクタ接続することで、無駄なコストをかけずに装置の構築ができる。例えば図２の例のように変換対象信号が３つの帯域内に収まる場合には、３つのモジュールだけ装着すればよい。
【００４９】
また、各モジュール３１のハードウエア構成は同等でよいから、設計コストが抑えられ、しかも、周波数変換処理を行うモジュールが帯域毎に独立しているので、特定帯域に異常がある場合には、その帯域のモジュールのみを正常なものに交換すればよく、帯域が多い場合にその修理コストが小さくて済む。
【００５０】
なお、装置の機械的な構造は任意であるが、例えば、図５のように、フレーム１００の開口された前面側から信号分波部２１、信号発生部２６、各モジュール３１を着脱自在に装着できるようにし、フレーム１００の背面側のマザーボード（図示せず）にコネクタ接続する構造例を示す。
【００５１】
この場合、マザーボード上に制御部５０を設けたり、制御部５０をパーソナルコンピュータで構成し、フレーム１００との間で通信できるようにしてもよい。なお、図５において、符号４０ａは、モジュール化された信号分波部２１、信号発生部２６および各モジュール３１を固定するためのネジ、符号４０ｂはそのネジ穴、符号４０ｃは、各モジュールを内部に挿入する際のガイド用の切欠である。
【００５２】
前記実施形態では、各モジュール３１の周波数変換回路３２に共通のローカル信号Ｌを与えて、ぞれぞれ中心周波数が異なる中間周波数帯に変換しているので、補正処理後の信号をそのまま加算処理することで、元の信号の周波数関係を保持した信号Ｘを出力させていたが、図６に示すように、モジュール３１毎にローカル信号発生器２７をそれぞれ設け、入力する帯域信号の中心周波数にそれぞれ応じた周波数のローカル信号Ｌ１〜ＬＭを周波数変換回路３２に与えることで、図７の（ａ）の各帯域信号を、同図（ｂ１）〜（ｂＭ）のように、中心周波数（ｆｉ）および帯域幅ｆｗが同一の中間周波帯に変換することもできる。
【００５３】
ただし、このまま合波すると、全帯域信号が幅ｆＷの中に重なった信号になってしまうため、図６に示しているように周波数シフト回路３８を設けて、各補正処理後の信号Ｙｈに対して、図７の（ｃ１）〜（ｃＭ）のように、元の帯域信号の周波数間隔（ｆＢＷ／Ｍ＝Δｆ）と等しい周波数差が付与されるようにし、その周波数シフトされた信号Ｙｈｓをそれぞれ合波器３５に入力する。この周波数シフト回路３８は、周波波間隔Δｆの差をもつ周波数ｆｓ１〜ｆｓＭのオフセットローカル信号Ｌs１〜ＬsＭを出力するオフセットローカル信号発生器３８ａと周波数変換回路３８ｂ（これらはデジタル値に対する数値演算処理で実現できる）によって構成する。
【００５４】
なお、上記のように各ローカル信号Ｌ１〜ＬＭの周波数が異なるので、各Ａ／Ｄ変換器３３のサンプリングタイミングが共通であるとき、中間周波数帯に変換された信号に関して各帯域間に各ローカル信号の位相差に応じた位相誤差が生じる。この位相誤差は、周波数シフト回路３８のオフセットローカル信号Ｌs１〜ＬsＭの初期位相を同期回路３９によって調整することで補償することができる。
【００５５】
このようにして周波数シフトおよび位相補償された信号Ｙｈｓを前記同等に合波することで、図７の（ｄ）のように、元の信号をより低い周波数帯域に変換したデジタルの信号列を得ることができる。
【００５６】
なお、上記実施例では、各モジュール３１にローカル信号発生器２７をそれぞれ設けていたが、信号発生部２６に各モジュール用のローカル信号発生器を設けてもよい。
【符号の説明】
【００５７】
２０……周波数変換装置、２１……信号分波部、２２……入力端子、２３……バンドパスフィルタ、２４……帯域信号出力端子、２５……周波数変換・合成処理部、２６……信号発生部、２７……ローカル信号発生器、２８……クロック信号発生器、３１……周波数変換・合波処理モジュール、３１ａ……帯域信号入力端子、３１ｂ……ローカル信号入力端子、３１ｃ……クロック信号入力端子、３１ｄ……合波信号入力端子、３１ｅ……合波信号出力端子、３２……周波数変換回路、３３……Ａ／Ｄ変換器、３４……補正処理回路、３５……合波回路、３８……周波数シフト回路、３９……同期回路、４０……モジュール保持手段、４１……帯域信号接続手段、４２……変換用信号接続手段、４３……合波信号接続手段、５０……制御部
【図１】
0005303594.tif 000002
【図２】
0005303594.tif 000003
【図３】
0005303594.tif 000004
【図４】
0005303594.tif 000005
【図５】
0005303594.tif 000006
【図６】
0005303594.tif 000007
【図７】
0005303594.tif 000008